(57)【特許請求の範囲】
【請求項１】
基材に、第１の方向に沿って規則的に形成された第１の画線と、前記第１の方向とは異なる第２の方向に沿って規則的に形成された第２の画線によって潜像模様が形成された偽造防止印刷物であって、
前記第１の画線及び前記第２の画線は、盛り上がりのある画線によって形成され、
前記第１の画線によって潜像部又は背景部のいずれか一方を形成し、
前記第２の画線によって前記潜像部又は背景部の他方を形成し、
前記第１の画線及び前記第２の画線は同一の画線幅で、かつ、同一のピッチで形成され、
前記第１の画線と前記第２の画線隣接する境界線となる画線は、前記第１の画線及び前記第２の画線の２／３〜１／２の画線幅を有する第３の画線によって形成されたことを特徴とする偽造防止印刷物。
【請求項２】
前記第１の画線及び前記第２の画線の画線幅が、０．１〜０．１６ｍｍであることを特徴とする請求項１項記載の偽造防止印刷物。
【請求項３】
前記第１の方向は、前記第２の方向と垂直の関係であることを特徴とする請求項１又は２記載の偽造防止印刷物。  
【請求項４】
前記盛り上がりのある画線は、凹版印刷又はスクリーン印刷によって形成されたことを特徴とする請求項１乃至３のいずれか一項記載の偽造防止印刷物。
【発明の詳細な説明】
【技術分野】
【０００１】
本発明は、銀行券、旅券、有価証券、商品券及び各種証明書等に、偽造及び複製の防止用として潜像画像を施した偽造防止印刷物に関する。
【背景技術】
【０００２】
従来、銀行券、旅券、商品券及び各種証明書等の偽造防止印刷物は、偽造防止技術を付与することが求められ、それらについて、様々な技術が開示されている。例えば、基材となる紙の製造工程で偽造防止技術を付与する、すかし又はスレッド並びに印刷工程で偽造防止技術を付与する微小文字又はパール印刷、更には印刷工程後の別工程で偽造防止技術を付与するホログラム又はレーザ穿孔等が代表的である。
【０００３】
これら技術のうち、比較的コストが安価で偽造抵抗力の高い偽造防止技術の一つとして、潜像凹版印刷物が挙げられる。その理由としては、偽造者の多くは、プリンタ等の簡易的な出力機によって偽造品を作製することが多いため、インキ膜厚の低い、二次元的な構成の偽造品しか作製することができないこととなる。一方、潜像凹版印刷物は、盛り上がった万線を縦横方向に規則的に配置することで潜像模様を形成しているため、三次元的な構成となり、特定の方向から観察することで、盛り上がった万線の圧縮及び非圧縮により、縦方向の万線と横方向の万線に濃度差が生じて潜像模様を視認することができるものである。しかし、前述したとおり、プリンタで作製する偽造品では、盛り上がった万線を形成することができないため、真正品をコピーしただけでは、潜像画像を形成することができず、その結果、偽造を困難とすることができるものである。
【０００４】
具体的に、一般的な公知の潜像凹版印刷物１’の構成について、図面を用いて説明する。図４（ａ）は、凹版印刷で形成した潜像凹版印刷物１’の構成を示したもので、紙等の基材Ｐ’に潜像凹版模様を形成している。潜像凹版印刷物１’は、潜像領域Ａ’と背景領域Ｂ’から成り、潜像領域Ａ’の複数の横万線及び背景領域Ｂ’の複数の縦万線は、規則的に配置され、かつ、盛り上がりのある画線で形成されている。次に、図４（ｂ）及び図４（ｃ）を用いて、潜像凹版印刷物１’から観察される潜像模様について説明する。図４（ｂ）は、潜像凹版印刷物１’に対する観察方向を示しており、観察方向Ｓ１’のように、潜像凹版印刷物１’を真上から観察すると、横万線と縦万線との画線部及び非画線部が同一の濃度として形成されていることから、潜像模様「Ｔ」を視認することができない。
【０００５】
一方、観察方向Ｓ２’のように、潜像凹版印刷物１’を斜めから観察すると、図４（ｃ）のように、潜像領域Ａ’の横万線は、観察方向と垂直となるため、盛り上がった横万線が非画線部の一部を隠ぺいすることで、見かけ上の画線濃度が高い状態として視認される。一方、背景領域Ｂ’の縦万線は、観察方向と平行となるため、非画線部の濃度変化は生じない。その結果、縦万線と横万線の濃度差によって、潜像領域Ａ’の領域から成る潜像画像「Ｔ」を視認することができる。
【０００６】
さらに、図４の潜像凹版印刷物１’を詳細に説明する。図５は、図４の矩形部分を拡大したものであり、潜像領域Ａ’の横万線Ｙ’の画線幅ＹＷ’と、背景領域Ｂ’の縦万線Ｔ’の画線幅ＴＷ’は、印刷物を真上から観察した際に、画線濃度が一定となるように、同一の画線幅で形成されている。また、横万線Ｙ’の画線ピッチＹＰ’と縦万線Ｔ’の画線ピッチＴＰ’も同様の理由により、同一として形成されている。この時、潜像領域Ａ’と背景領域Ｂ’との輪郭線Ｋ’は、横万線Ｙ’と縦万線Ｔ’とが接触している。したがって、本発明でいう輪郭線Ｋ’とは、潜像領域Ａ’の最外郭線であり、潜像領域Ａ’と背景領域Ｂ’との境界に位置し、かつ、横万線と縦万線が接触している万線をいう。なお、境界線Ｋ’の横万線２Ｙ’は、潜像領域Ａ’の横万線Ｙ’の画線幅ＹＷ’及び画線ピッチＹＰ’と同一で、境界線Ｋ’の縦万線２Ｔ’は、背景領域Ｂ’の前記縦万線Ｔ’の画線幅ＴＷ’と画線ピッチＴＰ’と同一である。このような潜像凹版の技術は、種々開示されている（例えば、特許文献１参照）。
【０００７】
ところで、潜像凹版印刷物の必須要件としては、図４（ｂ）のように、潜像凹版印刷物１’に対する観察方向を、Ｓ１’のように真上から観察した場合に、潜像模様「Ｔ」が視認されないように画線を形成することが前提となる。そのため、潜像領域Ａ’の横万線Ｙ’及び背景領域Ｂ’の縦万線Ｔ’の画線幅及び画線ピッチを同一にして、一定領域内の画線面積率を一致させている。
【０００８】
しかし、潜像凹版印刷物１’の潜像領域Ａ’と背景領域Ｂ’との輪郭線Ｋ’に近接した領域では、一定領域内の画線面積率が異なるように視認されるため、潜像凹版印刷物１’に対する観察方向を、Ｓ１’のように真上から観察した際に、輪郭部分に違和感が生じ、潜像模様の輪郭が認識されることがある。この理由を、図６と図７を用いて説明する。図６は、潜像領域Ａ’と背景領域Ｂ’との境界線Ｋ’の模式図である。図中の矩形領域は、一定領域で隣接する２つの領域（領域Ｌと領域Ｒ）を示す。
【０００９】
まず、隣接する領域Ｌと領域Ｒとを潜像領域Ａ’から、少しずつ左側にずらし、輪郭線Ｋ’を挟む背景領域Ｂ’まで移動させ（具体的には、図中の「Ｓ１」から「Ｓ９」まで）、領域Ｌと領域Ｒとの画線面積率（％）を比較した。なお、領域Ｌと領域Ｒとの大きさは、横万線Ｔ’及び縦万線Ｙ’の１ピッチ分である。また、領域Ｌと領域Ｒとのずらし量（例えば、Ｓ１からＳ２まで）は、縦万線Ｔ’及び縦万線Ｙ’の画線幅の１／２である。
【００１０】
次に、図７に、「Ｓ１」から「Ｓ９」までの領域Ｌと領域Ｒとの画線面積率をまとめた。領域Ｌ及び領域Ｒの画線面積率は、「Ｓ１」、「Ｓ５」、「Ｓ９」で、領域Ｌ及び領域Ｒともに５０％と同一である。一方、「Ｓ２」〜「Ｓ４」、「Ｓ６」〜「Ｓ８」における画線面積率の差異は、一方の領域に対して、±１２．５％又は±２５％の範囲で画線面積率が相違している。この画線面積率の差異が輪郭線Ｋ’を視認した時の違和感として感じ、その結果、輪郭線Ｋ’が認識しやすくなるという課題があった。
【先行技術文献】
【特許文献】
【００１１】
【特許文献１】特公昭５６−１９２７３号公報
【発明の開示】
【発明が解決しようとする課題】
【００１２】
本発明は、偽造防止印刷物における潜像領域と背景領域との輪郭線を視認しにくく、かつ、偽造防止印刷物を真上から観察した際に、潜像模様が形成されていることが視認されないようにするものである。
【課題を解決するための手段】
【００１３】
本発明の偽造防止印刷物は、基材に、第１の方向に沿って規則的に形成された第１の画線と、第１の方向とは異なる第２の方向に沿って規則的に形成された第２の画線によって潜像模様が形成された偽造防止印刷物であって、第１の画線及び第２の画線は、盛り上がりのある画線によって形成され、第１の画線によって潜像部又は背景部のいずれか一方を形成し、第２の画線によって潜像部又は背景部の他方を形成し、第１の画線及び第２の画線は同一の画線幅で、かつ、同一のピッチで形成され、第１の画線と前記第２の画線隣接する境界線となる画線は、第１の画線及び第２の画線の２／３〜１／２の画線幅を有する第３の画線によって形成されたことを特徴とする偽造防止印刷物である。
【００１４】
また、本発明の偽造防止印刷物における第１の画線及び第２の画線は、画線幅が、０．１〜０．１６ｍｍで形成されたことを特徴とする偽造防止印刷物である。
【００１５】
また、本発明の偽造防止印刷物における第１の方向は、第２の方向と垂直の関係であることを特徴とする偽造防止印刷物である。
【００１６】
また、本発明の偽造防止印刷物における盛り上がりのある画線は、凹版印刷又はスクリーン印刷によって形成されたことを特徴とする偽造防止印刷物である。
【発明の効果】
【００１７】
本発明の偽造防止印刷物は、第１の画線及び第２の画線の２／３〜１／２の画線幅により第３の画線を形成することで、偽造防止印刷物を真上から観察した際における潜像領域と背景領域の画線濃度、特に、輪郭領域の画線濃度を一定の状態として視認することができるように第３の画線を形成していることから、従来の潜像凹版印刷物と比較して、潜像模様の隠ぺい性を向上させることができた。
【図面の簡単な説明】
【００１８】
【図１】本発明の偽造防止印刷物の一例を示す概要図。
【図２】本発明の偽造防止印刷物の画線構成の一例を示す概要図。
【図３】本発明の偽造防止印刷物における輪郭領域の画線面積率を示す図。
【図４】従来の潜像凹版印刷物の作製方法を示す図。
【図５】従来の潜像凹版印刷物の画線構成の一例を示す概要図。
【図６】従来の潜像凹版印刷物における輪郭領域の画線面積率を示す図。
【図７】従来の潜像凹版印刷物の画線面積率の差異を示す図。
【図８】本発明の偽造防止印刷物の画線面積率の差異を示す図。
【発明を実施するための形態】
【００１９】
本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。
【００２０】
本発明の偽造防止印刷物は、潜像領域と背景領域が隣接する輪郭線の領域のみが、濃度が高い状態として認識されることを防ぐため、輪郭線を形成する画線幅を細くすることを特徴とする偽造防止印刷物である。まず、本発明の偽造防止印刷物の構成は、図１のとおりであるが、前述した背景技術における潜像凹版印刷物で説明した、図４と輪郭線の画線幅以外は同様であるため、説明を省略する。図２は、図１の偽造防止印刷物１の矩形領域を拡大したものである。
【００２１】
図２の偽造防止印刷物１は、潜像領域Ａと背景領域Ｂから成り、潜像領域Ａは、第１の画線である横万線Ｙを形成し、背景領域Ｂを、第２の画線である縦万線Ｔを配置したものである。このとき、横万線Ｙの画線幅ＹＷと縦万線Ｔの画線幅ＴＷが同一であり、横万線Ｙの画線ピッチＹＰと縦万線Ｔの画線ピッチＴＰも同一である。なお、横万線Ｙと縦万線Ｔを凹版印刷で形成する場合は、版面表面に対して凹んで形成した凹版版面を用いる。
【００２２】
次に、潜像領域Ａと背景領域Ｂとの境界部に位置する第３の画線により、輪郭線Ｋを形成するが、この輪郭線Ｋの画線幅ＫＷは、第１の画線である横万線Ｙの画線幅ＹＷ及び第２の画線である縦万線Ｔの画線幅ＴＷに対し、２／３〜１／２の画線幅とする。これは、２／３より太い画線幅とすると輪郭線Ｋが視認されやすくなり、１／２より細い画線幅とすると、輪郭部分の画線濃度が低く視認されるため、結果として、輪郭線Ｋが視認されやすくなるためである。また、輪郭線Ｋの配置は、輪郭線Ｋの縦万線２Ｔと、背景領域Ｂの隣接する縦万線Ｔとの非画線部の画線幅Ｔ’Ｗは、背景領域Ｂの縦万線Ｔ同士の非画線部の画線幅Ｔ’Ｗと同一である。一方、輪郭線Ｋの横万線２Ｙと、背景領域Ｂの隣接する横万線Ｙとの非画線部の画線幅Ｙ’Ｗは、潜像領域Ａの横万線Ｙ同士の非画線部の画線幅Ｙ’Ｗを同一である。したがって、すべての非画線部の画線幅は同一となる。
【００２３】
例えば、横万線Ｙの画線幅ＹＷ及び縦万線Ｔの画線幅ＴＷは、０．０８〜０．２ｍｍの範囲で、好適は０．１〜０．１６ｍｍである。また、横万線Ｙの画線ピッチＹＰと縦万線Ｔの画線ピッチＴＰは、０．２ｍｍ〜０．３ｍｍの範囲で、０．１〜０．１５ｍｍが好適である。さらに、横万線Ｙ及び縦万線Ｔの画線深さは、０．０２〜０．１５ｍｍの範囲で、０．０５〜０．０８ｍｍが好適である。また、縦万線Ｔに対して、横万線Ｙの角度は、４５〜１３５度の範囲で、７０〜１１０度が好適である。
【００２４】
次に、本発明の構成で作製した偽造防止印刷物１の潜像領域Ａと背景領域Ｂとの輪郭線Ｋに近接した領域での画線面積率の差異を図３と図８を用いて説明する。なお、図３及び図８は、背景技術で説明した図６及び図７と同様の構成であるため、異なる構成のみ説明する。
【００２５】
図３の輪郭線Ｋの画線幅は、横万線Ｙ及び縦万線の画線幅の１／２である。図８に、「Ｓ１」から「Ｓ９」までの領域Ｌと領域Ｒとの画線面積率をまとめた。領域Ｌ及び領域Ｒの画線面積率は、「Ｓ１」、「Ｓ３」、「Ｓ５」、「Ｓ７」、「Ｓ９」において、５０％と同一であり、かつ、２ステップごとの領域の移動（例えば、「Ｓ１」から「Ｓ３」）に対して同一となる。一方、背景技術の潜像凹版印刷物１’の輪郭領域における画線面積率を示した図７の値に対して、画線面積率が同一な領域が多くなったことが分かる。
【００２６】
また、「Ｓ２」、「Ｓ４」、「Ｓ６」、「Ｓ８」では、画線面積率の差異が一方の領域に対して±１２．５％である。しかし、背景技術の潜像凹版印刷物１’の輪郭領域における画線面積率を示した図７では、画線面積率の差異の最大は、一方の領域に対して±２５％であるため、本発明の偽造防止印刷物の輪郭領Ｋ付近における画線面積率の差異が低減されていることが分かる。この結果、潜像領域Ａと背景領域Ｂの輪郭線Ｋが、従来の潜像凹版印刷物１’と比較して、認識されない状態となる。
【００２７】
したがって、図１（ｂ）の観察方向Ｋ１のように、真上から偽造防止印刷物１を視認した際に、輪郭線Ｋの近接した領域での画線面積率の差異が低減し、潜像画像「Ｔ」の輪郭が視認しにくくなった。また、本実施の形態では、第３の画線を第１の画線及び第２の画線の１／２の幅とした例で説明したが、２／３〜１／２の範囲内であれば、第１の画線と第２の画線と同様の画線幅とするより輪郭線Ｋを視認しにくいものとすることができる。
【００２８】
なお、図１の偽造防止印刷物１は、潜像領域の横万線と背景領域の縦万線での構成で説明したが、潜像領域Ａを縦万線で、背景領域Ｂを横万線で形成する逆の構成でも同様の効果を有する。
【００２９】
また、本実施の形態では、従来技術に合わせて、凹版印刷によって形成される潜像凹版にて説明したが、本発明の効果を奏する盛り上がりのある画線が形成可能であれば、凹版印刷画線以外であるスクリーン印刷等で形成した潜像領域の画線と背景領域の画線によって印刷物を作製しても同様の効果を有する。
【実施例１】
【００３０】
本発明の偽造防止印刷物１の具体的な構成について、実施例を用いて説明する。本実施例１では、凹版印刷により偽造防止印刷物を作製するため、図２に示す凹版版面を作製した。
【００３１】
また、画線構成については、潜像領域Ａ及び背景領域Ｂにおいて、横万線Ｙの画線幅ＹＰ及び縦万線Ｔの画線幅ＴＰは０．１２ｍｍ、横万線Ｙの画線幅ＹＰ及び縦万線Ｔの画線ピッチＴＰは０．２４ｍｍとした。したがって、潜像領域Ａの非画線部の画線幅Ｙ’Ｗ及び背景領域Ｂの非画線部の画線幅Ｔ’Ｗは、０．１２ｍｍである。また、境界線Ｋの画線幅ＫＷは、０．０６ｍｍとして、偽造防止印刷物１を作製した。
【００３２】
前述した凹版版面を用いて、凹版印刷機により基材Ｐである用紙に凹版印刷画線を形成して偽造防止印刷物を作製した。
【００３３】
この偽造防止印刷物１を真上から観察した場合、潜像領域Ａ及び背景領域Ｂが同一濃度のフラットな模様として視認された。また、潜像凹版印刷物を傾けて観察した場合、横万線Ｙの画線高さにより、非画線部の１部が隠ぺいされることで見かけ上の画線濃度が上昇し、他の背景領域Ｂ、すなわち縦万線が形成された領域は、偽造防止印刷物を傾けても非画線部の画線濃度に影響されないことから、潜像領域Ａと背景領域Ｂに濃度差が発生し、潜像領域のみを視認することができた。
【符号の説明】
【００３４】
１          偽造防止印刷物
１’          潜像凹版印刷物
Ｐ、Ｐ’          基材
Ａ、Ａ’          潜像領域
Ｂ、Ｂ’          背景領域
Ｓ１、Ｓ１’          真上からの観察方向
Ｓ２、Ｓ２’          斜めからの観察方向
Ｙ、Ｙ’          横万線
Ｔ、Ｔ’          縦万線
ＹＷ、ＹＷ’          横万線の画線幅
ＴＷ、ＴＷ’          縦万線の画線幅
Ｙ’Ｗ、Ｔ’Ｗ          非画線部の画線幅
ＹＰ、ＹＰ’          横万線の画線ピッチ
ＴＰ、ＴＰ’          縦万線の画線ピッチ
Ｋ、Ｋ’          境界線
ＫＷ          境界線の画線幅
Ｌ、Ｒ          領域
【図１】
0005358858.tif 000002
【図２】
0005358858.tif 000003
【図３】
0005358858.tif 000004
【図４】
0005358858.tif 000005
【図５】
0005358858.tif 000006
【図６】
0005358858.tif 000007
【図７】
0005358858.tif 000008
【図８】
0005358858.tif 000009